(57)【特許請求の範囲】
【請求項１】
給水管又は給湯管から供給される水，湯を複数個の供給管へ分配するヘッダにおいて、前記ヘッダは水，湯が通過する通水路が形成され、この通水路から分岐して複数個の取出し口が開口し、各取出し口には供給管が接続される管継手がそれぞれ装着され、各取出し口と向かい合わせて同一軸線上に開口孔が穿設され、この開口孔には通水路から各管継手へ供給される水又は湯の流路を開閉する止水弁がそれぞれ収容され、この止水弁は管継手に形成された弁座に接離するパッキンを先端に備えた弁棒と、この弁棒を進退自在に挿通したガイドとからなり、ガイドはその先端が通水路内に突出しないように開口孔に螺着され、通水路から管継手への通水時にパッキンはガイドと密接することを特徴とする止水弁付ヘッダ。
【発明の詳細な説明】
【０００１】
【発明の属する技術分野】
本発明は、住宅内の台所，洗面所，浴室等に取付けられた各混合水栓に水，湯を供給するヘッダに関するものである。
【０００２】
【従来の技術】
ヘッダを利用した配管では、台所，洗面台，浴槽等に取付けられた各混合水栓を同時に使用しても、給水，給湯箇所の遠近に関係なく充分な吐水量が保証されるものであるが、このようなヘッダとして公知のものに特開平１１−３１５５６０号公報の図１（本願図面の図４）のものがある。この図４について簡単に説明すると、建物の室内には給水本管４０に接続した給湯器４１からの湯を供給する湯用ヘッダ４２、及び給水本管４０からの水を供給する水用ヘッダ４３が設けられており、この湯用，水用の各ヘッダ４２，４３に台所，洗面所，浴室等の各混合水栓４６に湯，水を供給する通水管４４，４４ａを接続し、この通水管４４，４４ａは壁裏や床下に配設している。この場合、各ヘッダ４２，４３と通水管４４，４４ａの間に夫々止水栓４５が装着されている。
【０００３】
上記のものにあっては、各ヘッダと通水管の間にそれぞれ止水栓が装着されているが、ヘッダ配管を住宅内に施工した直後に行う通水試験，耐圧試験等により漏水個所の有無を確認したり、混合水栓の取替えや点検を行う場合に、各止水栓を頻繁に操作する必要があり、各止水栓がヘッダと通水管の間に並列に多数装着されているため突出する部分が大きく大型となり、ヘッダの取付場所として広いスペースが必要となるうえ、取付け位置が制限され、しかも見栄えも悪いという欠点があった。
【０００４】
【発明が解決しようとする課題】
本発明が解決しようとする課題は、止水弁を備えるヘッダをコンパクトにして、狭い場所にも容易に取付けられるようにすることである。
【０００５】
【課題を解決するための手段】
本発明は請求項１では、  給水管又は給湯管から供給される水，湯を複数個の供給管へ分配するヘッダにおいて、前記ヘッダは水，湯が通過する通水路が形成され、この通水路から分岐して複数個の取出し口が開口し、各取出し口には供給管が接続される管継手がそれぞれ装着され、各取出し口と向かい合わせて同一軸線上に開口孔が穿設され、この開口孔には通水路から各管継手へ供給される水又は湯の流路を開閉する止水弁がそれぞれ収容され、この止水弁は管継手に形成された弁座に接離するパッキンを先端に備えた弁棒と、この弁棒を進退自在に挿通したガイドとからなり、ガイドはその先端が通水路内に突出しないように開口孔に螺着され、通水路から管継手への通水時にパッキンはガイドと密接するものである。
【０００６】
【発明の実施の形態】
以下、本発明の実施の形態を図に基づいて詳細に説明する。
この発明は例えば一般の住宅等に適用できるものであり、図１に示すように建物の室内には給水源と接続している給水管１が配管され、該給水管１は水を加熱する給湯器２と水用ヘッダ３に分岐して接続している。
【０００７】
前記水用ヘッダ３は、給水管１から供給される水を建物の室内で所定位置に配置された台所２５，洗面所２６，浴室２７等に取付けられた各混合水栓２８に分配するための、複数本の水供給管１７が長手方向に沿って所定の間隔で装着されており、夫々の水供給管１７はポリエチレン管等の合成樹脂で形成され、予め床下，壁裏に配設された蛇腹状の鞘管１８を挿通して前記各混合水栓２８に接続している。
【０００８】
また湯用ヘッダ３ａは給湯管１９により前記給湯器２と接続し、該給湯器２から供給される湯を前記各混合水栓２８に分配するための複数本の湯供給管１７ａが長手方向に沿って所定の間隔で装着されており、夫々の湯供給管１７ａはポリエチレン管等の合成樹脂で形成され、予め床下，壁裏に配設された蛇腹状の鞘管１８に挿通して前記各混合水栓２８に接続している。
【０００９】
台所２５，洗面所２６，浴室２７等に取付けられている各混合水栓２８は、ハンドル２９を操作することで設定された温度及び流量の湯水をそれぞれ吐水可能である。
【００１０】
前記水用及び湯用の各ヘッダ３，３ａは図２及び図３の部分断面図に示すように、内部に横長で直線状の通水路４を形成し、一端に給水管１又は給湯管１９と接続する接続口５を設けてあり、通水路４と直交する側部には各混合水栓２８に水，湯を分配するための複数個の取出し口６を等間隔で開口し、該取出し口６に水供給管１７又は湯供給管１７ａを接続するための管継手９を装着している。該管継手９は、一端には取出し口６の内周面に形成された雌ねじ部７に螺着する第１雄ねじ部１１が形成され、他端には水供給管１７又は湯供給管１７ａを外嵌する円筒状の案内部１３を形成した継手本体１０と、該継手本体１０の外周に形成された第２雄ねじ部１４に螺着して案内部１３を覆うナット１５と、該ナット１５と案内部１３の間に介在させた抜け止め用のリング１６とからなり、水供給管１７又は湯供給管１７ａを継手本体１０の案内部１３とナット１５の間に挿入すれば、管継手９に接続することができるものであり、継手本体１０の先端の第１雄ねじ部１１は取出し口６の内周側に位置し、先端面に通水路４と向かい合わせて止水用の弁座１２が環状に形成されている。
【００１１】
止水弁２０は止水機能と流量調節機能を備えたものであり、前記管継手９の弁座１２に接離するパッキン２２を先端に備えた弁棒２１と、該弁棒２１を進退自在に挿通したガイド２４からなり、該ガイド２４は前記取出し口６と向かい合わせて同一軸上に穿設した開口孔８に螺着し、弁棒２１の後端に取付けた摘み２３を回転方向へ操作すれば、弁棒２１と共にパッキン２２がガイド２４と弁座１２の間を移動する。なお、図２に示す通水状態ではパッキン２２はガイド２４と密接し、図３に示す止水状態では弁座１２に密接し、いずれの場合もパッキン２２が水，湯が通過する通水路４を邪魔することがなく、パッキン２２により他の供給管１７，１７ａからの通水量が減少するようなことはない。
【００１２】
従って通常は図２に示すように、パッキン２２が通水路４の邪魔にならないようにガイド２４と密接して、水又は湯は通水路４から管継手９を介して水，湯の各供給管１７，１７ａへ分岐して供給されるが、流量調節又は止水操作のため弁棒２１を止水方向へ操作すると、パッキン２２が管継手９の弁座１２に接近して流量調節を行い、さらに図３に示すようにパッキン２２が弁座１２に密接して通水路４から管継手９への流路が閉弁され、供給管１７，１７ａ及び混合水栓２８への通水を遮断するものである。
【００１３】
以上のように本発明の各ヘッダ３，３ａは供給管１７，１７ａを接続する各管継手９ごとに止水弁２０を収容しているので、施工直後の通水試験や耐圧試験を行う際に、各混合水栓２８ごとにヘッダ３，３ａで止水をして順に漏水の有無等を確認することができる。しかも止水弁２０はヘッダ３，３ａの内部に収容されているので、コンパクトにすることができる。
【００１４】
【発明の効果】
本発明は請求項１では、給水管又は給湯管から供給される水，湯を複数個の供給管へ分配するヘッダにおいて、前記ヘッダは水，湯が通過する通水路が形成され、この通水路から分岐して複数個の取出し口が開口し、各取出し口には供給管が接続される管継手がそれぞれ装着され、各取出し口と向かい合わせて同一軸線上に開口孔が穿設され、この開口孔には通水路から各管継手へ供給される水又は湯の流路を開閉する止水弁がそれぞれ収容され、この止水弁は管継手に形成された弁座に接離するパッキンを先端に備えた弁棒と、この弁棒を進退自在に挿通したガイドとからなり、ガイドはその先端が通水路内に突出しないように開口孔に螺着され、通水路から管継手への通水時にパッキンはガイドと密接するようにした。従って止水機能を備えたヘッダをコンパクトにすることができ、取付スペースが狭くても容易に取付けることができる。また、通水状態でパッキンは通水路を邪魔することがなく、通水量が減少するようなことはない。
【図面の簡単な説明】
【図１】  本発明によるヘッダ配管の説明図である。
【図２】  ヘッダの一部拡大断面図で、通水状態である。
【図３】  ヘッダの一部拡大断面図で、止水状態である。
【図４】  従来技術の説明図である。
【符号の説明】
１                      給水管
３                      水用ヘッダ
３ａ                    湯用ヘッダ
４                      通水路
６                      取出し口
８                      開口孔
９                      管継手
１７                    水供給管
１７ａ                  湯供給管
１９                    給湯管
２０                    止水弁
２５                    台所
２６                    洗面所
２７                    浴室
２８                    混合水栓
【図１】
0003772074.tif 000002
【図２】
0003772074.tif 000003
【図３】
0003772074.tif 000004
【図４】
0003772074.tif 000005